(57)【特許請求の範囲】
【請求項１】
下面に粘着層部と非粘着層部とを有し上面に印字面が表れるシート状の耐破性ラベル体であって、ラベル体を横断するミシン目が入れてあり、ミシン目を挟んだ両側に非粘着層部を設けつつ、当該非粘着層部はラベル体周縁に位置しており、ミシン目は非粘着層部にさしかかるところまで設け、非粘着層部ではラベル体が切断された切れ目を設けた耐破性ラベル体につき、当該ラベル体を段ボール箱のつなぎ目の延伸位置に貼着する第一貼着工程と、
段ボール箱の上面と下面のそれぞれのつなぎ目に貼着するとともに、ラベル体上に片方の貼着端がそれぞれ来るように帯状のＯＰＰテープを貼着する第二貼着工程と、
を含み、
非粘着層部のつまみ上げによりミシン目が切り取られて剥離方向にＯＰＰテープが位置し、段ボール箱の上面と下面のＯＰＰテープのいずれをも簡便に剥がせることを特徴とする剥離易化貼着方法。
【請求項２】
下面に粘着層部と非粘着層部とを有し上面に印字面が表れるシート状の合成紙または耐破性フィルムにより形成された剥離易化ラベルであって、
ラベルを横断するミシン目を入れ、
ミシン目を挟んだ両側に非粘着層部を設けつつ、当該非粘着層部はラベル周縁に位置しており、
ミシン目は非粘着層部にさしかかるところまで設け、非粘着層部ではラベルが切断された切れ目を設け、
段ボール箱上面と下面のそれぞれのつなぎ目に貼着する帯状のＯＰＰテープのそれぞれの片端を前記ミシン目にかからないようにラベルの上から貼着して、剥離時に非粘着層部のつまみ上げによりミシン目が切り取られて剥離方向にＯＰＰテープが位置し、ラベルとともに段ボール箱の上面と下面のＯＰＰテープのいずれをも一体的に剥離可能としたことを特徴とする剥離易化ラベル。
【発明の詳細な説明】
【技術分野】
【０００１】
本発明は、剥離易化貼着方法および剥離易化ラベルに関し、特に、段ボール箱等に貼着したＯＰＰテープをラベルごと簡単に剥離して段ボール箱等の後始末を容易化する剥離易化貼着方法および剥離易化ラベルに関する。
【背景技術】
【０００２】
従来、様々な物品を運ぶために段ボール箱等の梱包箱が用いられている。梱包箱は、物品を箱詰めし、つなぎ目をテープで貼着した後、適宜移送される。その後、箱は、テープを剥がして開梱され、最後に廃棄ないしリサイクルされる。
【０００３】
梱包テープは様々な素材の物が用いられるが、内容物がある程度重たい場合には、つなぎ目が破れないように機械的強度に優れるＯＰＰ（二軸延伸ポリプロピレン）テープが用いられる。
【０００４】
しかしながら、従来の技術では以下の問題点があった。
梱包箱の上面および下面のつなぎ目をテープで塞ぐと、開梱時や後始末の展開時にこれを剥がす必要がある。そして、通常は、テープ端まで梱包箱に密に接着されている場合がほとんどであるので、端部の剥がし起こしが必要となり、作業性に劣る場合があるという問題点があった。このため、大量に同種の梱包をおこなう出荷工場ラインでは、ＯＰＰテープの端を折り返す機構を伴った梱包装置も存在する。これによれば、剥がし起こし用の舌片が形成され、開梱が容易となるという利点がある。
【０００５】
しかしながら、この折り返しは、主として開梱を容易とするため、すなわち、段ボール箱の上側のテープを剥がし易くすることを目的としており、段ボール箱の下側のテープを剥がし易くすることまでを目的としていない。すなわち、後始末等の減容化の際、段ボール箱を展開するときには、依然として下面のテープを剥がし難く、物品納入先の労務負担が大きいという問題点があった。
【０００６】
また、多品目を出荷する工場では、使用する段ボール箱の大きさが異なり、梱包装置に折り返し機構を導入できない場合があるという問題点もあった。また、下側のテープ用に折り返し装置をさらに導入することも、ライン長に制限がある場合や、投入コストの観点から困難が伴うという問題点があった。
【０００７】
なお、カッターでＯＰＰテープをつなぎ目に沿って切ることもできるが、中身に傷がつくことも懸念され、また近年では、ゴミの分別やリサイクル意識の高まりを受け、プラスチック類に属するＯＰＰテープを紙類の段ボール箱から剥がしたいという潜在的な要請もある。
【先行技術文献】
【特許文献】
【０００８】
【特許文献１】実開昭６２−１１８０１５号
【特許文献２】特開平８−３０１２７３号
【特許文献３】実開昭６３−２１２１６号
【特許文献４】実開平１−７８５１０号
【特許文献５】特開２００２−２２５９３２号
【発明の概要】
【発明が解決しようとする課題】
【０００９】
本発明は上記に鑑みてなされたものであって、中身や宛先などを記載して貼着されるラベルを利用してＯＰＰテープも段ボール箱等の梱包対象物から簡便に剥離可能とする剥離易化貼着方法および剥離易化ラベルを提供することを目的とする。
【課題を解決するための手段】
【００１０】
請求項１に記載の剥離易化貼着方法は、下面に粘着層部と非粘着層部とを有し上面に印字面が表れるシート状の耐破性ラベル体であって、ラベル体を横断するミシン目が入れてあり、ミシン目を挟んだ両側に非粘着層部を設けつつ、当該非粘着層部はラベル体周縁に位置しており、ミシン目は非粘着層部にさしかかるところまで設け、非粘着層部ではラベル体が切断された切れ目を設けた耐破性ラベル体につき、当該ラベル体を段ボール箱のつなぎ目の延伸位置に貼着する第一貼着工程と、段ボール箱の上面と下面のそれぞれのつなぎ目に貼着するとともに、ラベル体上に片方の貼着端がそれぞれ来るように帯状のＯＰＰテープを貼着する第二貼着工程と、を含み、非粘着層部のつまみ上げによりミシン目が切り取られて剥離方向にＯＰＰテープが位置し、段ボール箱の上面と下面のＯＰＰテープのいずれをも簡便に剥がせることを特徴とする。
【００１１】
すなわち、請求項１にかかる発明は、ラベル体を中途から二つに分けて剥離できるので、ＯＰＰテープに折り返しを設けなくても、また、ＯＰＰテープの先端を剥がし起こさなくても、切れ目により非粘着層部を簡便に摘まめ、また、回転させながら剥離せずにすみ、段ボール箱の上面と下面にそれぞれ貼着されるＯＰＰテープの何れをも簡便に剥がすことが可能になる。
特に、小型の箱など、ラベル体を貼着する梱包対象物の面がラベル体に対して相対的に小さな場合に、剥離作業を容易化する。
【００１２】
ラベル体は、一枚物であっても、中に印刷物を収容し印字面が見えるようにした袋状の物であっても良く、全体として所定の強度を有し、剥離時に破れないものであれば特に限定されない。一枚物である場合は、下面に粘着剤等が塗布されて粘着性を有した合成紙や樹脂フィルムなどを挙げることができる。
【００１３】
合成紙である場合は、単層構造であっても多層構造であってもよい。多層構造としては、たとえば基材層と表面層の２層構造、基材層と表面層の間に他の樹脂フィルム層が存在する多層構造を挙げることができる。また、各層は無機や有機のフィラーを含有していてもよい。ポリオレフィン、ポリエチレンテレフタレートなどからなる合成紙は、鉛筆やボールペン等の筆記性、印刷特性は天然紙と同等の特性を有し、強度や耐水性は天然紙以上であるので好適である。
【００１４】
粘着層部は、接着性を有すれば特に限定されず、この意味において、接着層部と言い換えることができる。この粘着層部は、粘着剤がラベル体下面にコーティングされていても、別途粘着フィルム層が形成されていても良い。また、非粘着層部は、粘着剤を塗布しない態様であっても、別途紙片等により粘着層部を部分的にマスキングした態様であっても良い。また、非粘着層部の上面側には適宜色分けや「はがす」という表記をしてもよい。なお、非粘着層部は必ずしも一箇所であることに限定されない。複数箇所に設けることにより、ラベル体の貼着向きの自由度が向上する。
【００１５】
請求項２に記載の剥離易化ラベルは、下面に粘着層部と非粘着層部とを有し上面に印字面が表れるシート状の合成紙または耐破性フィルムにより形成された剥離易化ラベルであって、ラベルを横断するミシン目を入れ、ミシン目を挟んだ両側に非粘着層部を設けつつ、当該非粘着層部はラベル周縁に位置しており、ミシン目は非粘着層部にさしかかるところまで設け、非粘着層部ではラベルが切断された切れ目を設け、段ボール箱上面と下面のそれぞれのつなぎ目に貼着する帯状のＯＰＰテープのそれぞれの片端を前記ミシン目にかからないようにラベルの上から貼着して、剥離時に非粘着層部のつまみ上げによりミシン目が切り取られて剥離方向にＯＰＰテープが位置し、ラベルとともに段ボール箱の上面と下面のＯＰＰテープのいずれをも一体的に剥離可能としたことを特徴とする。
【００１６】
すなわち、請求項２にかかる発明は、ラベル体の中途から二つに分けて剥離できるので、ＯＰＰテープに折り返しを設けなくても、また、ＯＰＰテープの先端を剥がし起こさなくても、切れ目により非粘着層部を簡便に摘まめ、また、回転させながら剥離せずにすみ、段ボール箱の上面と下面にそれぞれ貼着されるＯＰＰテープの何れをも簡便に剥がすことが可能になる。特に、小型の箱など、ラベル体を貼着する梱包対象物の面がラベル体に対して相対的に小さな場合に、剥離作業を容易化する。
【図面の簡単な説明】
【００１７】
【図１】本発明の剥離易化ラベルとＯＰＰテープが段ボール箱に貼着された剥離易化貼着構造を示した説明図である。
【図２】剥離易化ラベルとＯＰＰテープの貼着関係を示した部分拡大図である。
【図３】剥離易化ラベルの粘着層部と非粘着層部と示した部分断面図である。
【図４】上下のＯＰＰテープの剥離も容易化する中割ラベルの平面図である。
【図５】中割ラベルとＯＰＰテープを段ボール箱に貼着した様子を示した説明図である。
【発明を実施するための形態】
【００１８】
以下、本発明の実施の形態を図面を参照しながら詳細に説明する。
図１は、本発明の剥離易化ラベルとＯＰＰテープが段ボール箱に貼着された剥離易化貼着構造を示した説明図である。なお、ここでは、段ボール箱の下側のＯＰＰテープの先端が剥離易化ラベルにかかっている態様、すなわち、底面側から見た斜視図を示している。図２は、剥離易化ラベルとＯＰＰテープの貼着関係を示した部分拡大図である。図３は、剥離易化ラベルの粘着層部と非粘着層部とを示した部分断面図である。
【００１９】
ラベル１０は、合成紙を基材として粘着面が形成されている、いわゆるタック紙である。詳細には、ラベル１０は、上面１１に印字可能な表面を有し、下面１２は粘着剤が塗布された粘着層部２１と粘着剤が塗布されていない角に位置した非粘着層部２２とを有する。
【００２０】
合成紙は、合成樹脂を主原料としており、その組成は限定されず、強度面においてラベルに多く用いられるいわゆる紙ラベルに比して、破れにくいものであればよい。この耐破性の目安としては、ＪＩＳ Ｐ−８１１３引張強度において、紙ラベルの１．８倍以上の数値、おおよそ、３〜８ｋＮ／ｍの強度を確保することが望ましい。
【００２１】
粘着剤も、特に限定されないが、たとえば、水系アクリルエマルジョンを挙げることができる。なお、ラベル１０はつなぎ目を塞ぐ目的でないため、粘着剤の粘着力はＯＰＰテープの粘着力より小さなものとすれば、剥離作業の効率性が向上する。
【００２２】
ラベル１０は、予め、梱包物の中身、数量、製造元等の必要な情報が印刷され、段ボール箱の側面に貼着されている（図１参照）。ＯＰＰテープ３０は帯状テープであり、段ボール箱４０の上側のつなぎ目４１を塞ぐ上テープ３１と、下側のつなぎ目４２を塞ぐ下テープ３２の二枚が貼着される。
【００２３】
ここで、上テープ３１の片端は折り返して舌片３５が設けられ、開梱時の作業性を容易としている。下テープ３２の片端３６は、つなぎ目４２を塞ぐともにさらに延伸し、ラベル１０の中途の位置でラベル１０の上から貼着されている。すなわち、下テープ３２は、つなぎ目４２とラベル１０の両方に貼られている。なお、ＯＰＰテープ３０が透明（無色透明または有色透明）であるとラベル１０の印字面の視認性が確保されるので好適である。
【００２４】
図１に示したように、ラベル１０の非粘着層部２２は、下テープ３２のさらに下側に位置するように向きを考慮して貼着する。換言すれば、ラベル１０は、下テープ３２の片端３６からさらに延伸した側に非粘着層部２２が位置するように文字等の上下を考慮して印刷をおこなう。
【００２５】
ラベル１０は機械的強度が大きく、また、ＯＰＰテープも同様であるので、非粘着層部２２の位置を図１の位置関係のように下側に持ってくれば、段ボール箱４０を展開ないし減容化する際に、ラベル１０の非粘着層部２２をつまみ上げることにより、ラベル１０とＯＰＰテープを一体的に剥がすことができるので、その作業性が向上する。
【００２６】
次に、ラベル１０の貼着手順について説明する。
まず、梱包ライン上で、段ボール箱４０を適宜製箱装置を用いて組み立てる。
続いて、予め内容物等の情報が印刷されたラベル１０を、段ボール箱４０の側面に貼着する。このとき、角の非粘着層部２２が上にくるようする。なお、ラベル１０は、この非粘着層部２２が正しい位置となるように向きを考慮して印刷しておく。使用の態様によっては、ラベル１０を貼着してから印刷してもよい。また、ラベル１０を側面に貼着してから段ボール箱４０を組み立ててもよい。
【００２７】
続いて、段ボール箱４０の下側のつなぎ目４２に沿ってＯＰＰテープ３０（下テープ３２）に貼着するとともに、片端３６は、さらにラベル１０が貼着されている側面まで延伸し、ラベル１０の概ね下端１／３から中央程度の位置でラベル１０の上から貼着する。これにより、段ボール箱４０の底が塞がれ、また、後述するように、ＯＰＰテープ３０を簡便に剥がすことが可能となる。
【００２８】
次に、物品等を段ボール箱４０に所定量収容する。
収容後、段ボール箱４０の上蓋を折り曲げ、上側のつなぎ目４１にＯＰＰテープ３０（上テープ３１）で塞ぎつつ、片方の端部を折り返し、舌片３５を形成する。
【００２９】
以上が、梱包までの手順である。ラベル１０の貼りつけやＯＰＰテープ３０の貼りつけ、また、物品の梱包、段ボール箱４０の蓋の折り曲げ等は、適宜自動化することができる。
【００３０】
次に、段ボール箱４０の開梱および展開手順について説明する。
作業者は、舌片３５をつまみ上げ、上テープ３１を剥がし取り、段ボール箱４０から物品等の中身を取り出す。続いて、段ボール箱を適宜裏返し、ラベル１０の非粘着層部２２をつまみラベル１０を段ボール箱４０から引き剥がす。このとき、ラベル１０は強度があり破れず、また、ＯＰＰテープ３０はラベル１０の上に貼られているので、ラベル１０を引き剥がす際に、ＯＰＰテープがラベル１０につながったまま段ボール箱４０から剥がされることとなる。
【００３１】
すなわち、通常の梱包テープを剥ぎ取る場合と異なり、剥がし起こしが不要であり、また、ラベル１０とＯＰＰテープ３０とを別々に手間をかけて剥がすことなく、一体的に剥がし取ることが可能となり、作業性が向上する。
【００３２】
なお、上テープ３１と下テープ３２が剥がされた後の段ボール箱４０は、その後、適宜展開、減容し、リサイクル等の後工程に回す。
【００３３】
以上の説明では、ラベル１０は長方形の角の１箇所に非粘着層部２２を設けた態様を説明したが、四隅全てに非粘着層部２２を設けるようにしても良い。これにより、非粘着層部の向きを考慮せずラベル１０に印刷可能となる。特に、梱包ラインが自動化されている場合には、ラベル１０は、剥離シートに多数貼着されており、これを剥がして段ボール箱４０を貼着することとなるので、剥離シート付きのラベル１０のセット方向を意識せずに済むので、印刷向きの間違いが発生しなくなる。なお、ラベル１０を剥離シートから段ボール箱４０に貼着する際には、非粘着層部２２を利用してラベル１０をつまみ上げ、段ボール箱４０に貼り付けるのに利用しても良い。
【００３４】
また、ラベルの形状も、長方形に限定されず、正方形、楕円形、長円形などを採用することもできる。
【００３５】
なお、ラベルを利用して、上テープも下テープも剥がすことも可能である。図４は、上下のＯＰＰテープの剥離も容易化する中割ラベルの平面図である。図５は、中割ラベルとＯＰＰテープを段ボール箱に貼着した様子を示した説明図である。
【００３６】
ラベル５０は、長方形であり、中央を横断するに様にミシン目５５が設けられており、このミシン目５５に沿って二分可能としている。上面５１は印字可能な表面であり、下面５２にはミシン目５５の両側に分けてラベル５０の周縁部に非粘着層部６２を設け、それ以外は粘着層部６１としている。
【００３７】
段ボール箱４０へは、まずラベル５０を側面に貼着し、適宜箱を組み立て、下テープ３２で段ボール箱４０の下側のつなぎ目４２を塞ぎつつ、片端は、ラベル５０のミシン目５５にかからないようにしながらラベル５０上（下半分）に貼着する。
【００３８】
適宜物品を段ボール箱４０に収容したのち、上テープ３１で段ボール箱４０の上側のつなぎ目４１を塞ぎつつ、片端は、ラベル５０のミシン目５５にかからないようにしながらラベル５０上（上半分）に貼着する。
【００３９】
このようにすれば、開梱の際には、ラベル５０の上半分にある非粘着層部６２をつまみ上げれば、ミシン目５５に沿ってラベル５０の上半分が切り取られ、さらに、上テープ３１も一緒に段ボール箱４０から剥ぎ取ることができる。従って、舌片３５を形成する必要がない。
【００４０】
また、段ボール箱４０を展開する場合には、残っているラベル５０の下半分にある非粘着層部６２をつまみ上げることにより、下テープ３２も一緒に段ボール箱４０から剥ぎ取ることができる。
【００４１】
このような中割タイプのラベル５０は、箱の側面がラベル５０の大きさに対して相対的に小さい場合に特に好適である。なお、ミシン目５５は、非粘着層部６２にさしかかるところまで設け、非粘着層部６２では、ラベル５０が切断されているようにしても良い（切れ目として設けていても良い）。これにより、非粘着層部６２を容易に摘み起こすことが可能となる。
【００４２】
以上、本発明の剥離易化貼着方法および剥離易化ラベルによれば、段ボールの開梱または展開の際の作業性が効率化され、また、リサイクル資源の分別も容易となる。
【産業上の利用可能性】
【００４３】
本発明は、段ボール箱用に限定されず、たとえば、菓子箱、発泡スチロール箱にも適用できる。また、つなぎ目も段ボールに限定されず、緩衝シートなどのシート辺に貼着する場合などにも適用できる。
【符号の説明】
【００４４】
１０，５０ ラベル
１１，５１ 上面
１２，５２ 下面
２１，６１ 粘着層部
２２，６２ 非粘着層部
３０ ＯＰＰテープ
３１ 上テープ
３２ 下テープ
３５ 舌片
３６ 片端（貼着端）
４０ 段ボール箱（梱包対象物）
４１ つなぎ目（段ボール箱の上側）
４２ つなぎ目（段ボール箱の下側）
５５ ミシン目
【図１】
0005782772.tif 000002
【図２】
0005782772.tif 000003
【図３】
0005782772.tif 000004
【図４】
0005782772.tif 000005
【図５】
0005782772.tif 000006